(57)【要約】【課題】  パネルから外しやすく、かつ、取り付けやすいエアフィルタを備えた空気調和機を提供する。【解決手段】  室内機本体に着脱自在に装着され吸込口４を有するパネル３と、このパネル３の吸込口４に沿って着脱自在に設けられるエアフィルタ５とを備えた空気調和機において、前記エアフィルタ５にはエアフィルタ５をパネル３へ止着するための止着手段１２、１７ａと、この止着手段１２、１７ａの止着を解除するつまみ１３と、エアフィルタ５をパネル３へ着脱する取っ手１５とを設け、これらつまみ１３と取っ手１５とが同時に操作可能な位置に配設される。【選択図】      図５
2004219051.tif 000002
【特許請求の範囲】
【請求項１】
室内機本体に着脱自在に装着され吸込口を有するパネルと、このパネルの吸込口に沿って着脱自在に設けられるエアフィルタとを備えた空気調和機において、
前記エアフィルタにはエアフィルタをパネルへ止着するための止着手段と、この止着手段の止着を解除するつまみと、エアフィルタをパネルへ着脱する際に用いる取っ手とを設け、これらつまみと取っ手とが同時に操作可能な位置に配設されることを特徴とする空気調和機。
【請求項２】
前記エアフィルタは外周に設けられるフィルタ枠と、このフィルタ枠に交差して設けられる縦桟及び横桟とを有し、前記つまみがフィルタ枠に設けられると共に、前記取っ手が縦桟に設けられることを特徴とする請求項１に記載の空気調和機。
【請求項３】
前記つまみは取っ手が設けられる縦桟とフィルタ枠とが交差する位置に設けられたことを特徴とする請求項１または２に記載の空気調和機。
【請求項４】
前記つまみと取っ手は、複数設けられることを特徴とする請求項１〜３のいずれかに記載の空気調和機。
【発明の詳細な説明】
【技術分野】
【０００１】
本発明は空気調和機に関し、特に吸込口に設けられたエアフィルタに関する。
【背景技術】
【０００２】
従来、例えば、吸込用開口部及び吹出口が形成された本体ケースと、この本体ケースの吸込用開口部に設けられるパネルと、このパネルの裏面にエアフィルタ収納部を有し、この収納部に着脱自在に設けられるエアフィルタとを備えた空気調和機は知られている。
【０００３】
この種の空気調和機のエアフィルタには、パネルからエアフィルタを外す際に用いられるつまみが設けられている（例えば、特許文献１参照。）。
【特許文献１】特許第３１７５５０１号公報
【発明の開示】
【発明が解決しようとする課題】
【０００４】
ところで、前述したエアフィルタのつまみは、主にパネルからエアフィルタを外すときに用いられ、取り付けの際にあまり用いられなかった。そのため、エアフィルタを取り付ける際には、例えば、フィルタ枠の一部分を持って取り付けるので、その操作作業を煩わしくしていた。
【０００５】
本発明の目的は、上述した従来の事情に鑑みてなされたものであり、パネルから外しやすく、かつ、取り付けやすいエアフィルタを備えた空気調和機を提供することにある。
【課題を解決するための手段】
【０００６】
上記目的を達成ために、請求項１に記載の発明は、室内機本体に着脱自在に装着され吸込口を有するパネルと、このパネルの吸込口に沿って着脱自在に設けられるエアフィルタとを備えた空気調和機において、前記エアフィルタにはエアフィルタをパネルへ止着するための止着手段と、この止着手段の止着を解除するつまみと、エアフィルタをパネルへ着脱する際に用いる取っ手とを設け、これらつまみと取っ手とが同時に操作可能な位置に配設されることを特徴とする。
【０００７】
請求項２に記載の発明は、請求項１に記載の空気調和機において、前記エアフィルタは外周に設けられるフィルタ枠と、このフィルタ枠に交差して設けられる縦桟及び横桟とを有し、前記つまみがフィルタ枠に設けられると共に、前記取っ手が縦桟に設けられることを特徴とする。
【０００８】
請求項３に記載の発明は、請求項１または２に記載の空気調和機において、前記つまみは取っ手が設けられる縦桟とフィルタ枠とが交差する位置に設けられたことを特徴とする。
【０００９】
請求項４に記載の発明は、請求項１〜３のいずれかに記載の空気調和機において、前記つまみと取っ手は、複数設けられることを特徴とする。
【発明の効果】
【００１０】
以上説明したように、本発明の空気調和機は、エアフィルタをパネルの収納部から取り外す際に、係止を解除するつまみと、収納部へ着脱するための取っ手とを同時に操作できるので、エアフィルタの取り扱いが容易にできる。
【実施例】
【００１１】
以下、本発明の一実施例を図面に基づいて説明する。図１は、壁掛け型空気調和機の側断面図、図２は図１の斜視図である。図１、図２において、この壁掛け型空気調和機１０は、横長の本体ケース１と、この本体ケース１に着脱自在に取り付けられる前面パネル３とを備え、前面パネル３には横に細長い複数の吸気孔を有する吸込口４が形成されている。本体ケース１及び前面パネル３は、プラスチックを材料として作られている。
【００１２】
図３は前面パネルを裏側から見た斜視図、図４はエアフィルタを前面パネルから外した状態を示す斜視図、図５は前面パネルの裏側の一部を示す斜視図である。前面パネル３の裏面には、横長のエアフィルタ５とこのエアフィルタ５を収納し取り付ける収納部６とが設けられている。
【００１３】
前記エアフィルタ５は柔軟性のある素材で作られ、補強用の５本の縦桟７、７・・と、補強用の１本の横桟８と、その周囲に位置するフィルタ枠９とを有し、網状のフィルタ素材を一体化させて構成されている。縦桟７上部のフィルタ枠９には角状の係止孔１２（止着手段）を有するつまみ１３（図６参照）が２ヵ所に設けられ、縦桟７下部のフィルタ枠９の５ヵ所には下方に突出する突片１４が設けられている（図７参照）。また、つまみ１３、１３の設けられた位置に交差する縦桟７の中央部、すなわち縦桟７と横桟８が交差する位置には、それぞれ直角方向に突出する取っ手１５がそれぞれ設けられている。
【００１４】
一方、前記収納部６は、吸込口４の周囲に沿って設けられる外枠１６と、この外枠１６の上辺に形成された２つの突起片１７、１７（図６参照）及び下辺に形成された５つの固定孔１８、１８・・（図７参照）とを有している。突起片１７は、前面パネル３に対して直角方向に形成され、この突出片１７に直角に突出する爪１７ａ（止着手段）が形成されている。これらの爪１７ａは、前記係止孔１２に嵌合され、前記つまみ１３を下方へ押し下げることにより、爪１７ａが係止孔１２から外れるようになっている。また、固定孔１８は、上下方向に貫通する孔で、前記突片１４を挿入することによりエアフィルタ５の下部を支持固定する。
【００１５】
次に、エアフィルタ５を収納部６へ着脱する際の取付方と、取外し方について説明する。
【００１６】
エアフィルタ５を収納部６に取り付ける場合には、先ず、エアフィルタ５の取っ手１５、１５をそれぞれ左右の手でつまんで持つ。次に、収納部６の固定孔１８、１８・・に突片１４、１４・・を、挿入して固定する。エアフィルタ５の上部を収納部６方向へ押し付けることにより、図６に示す爪１７ａが係止孔１２に嵌合し係止され、エアフィルタ５が収納部６に止着される。
【００１７】
また、エアフィルタ５を収納部６から取り外す場合には、図８に示すように、例えば、エアフィルタ５の左右の取っ手１５、１５をそれぞれ左右の手の親指と中指で摘み、つまみ１３、１３をそれぞれ人差し指で下に押し下げながら取っ手１５、１５を前面パネル３から離す方向に引くことにより、エアフィルタ５を収納部６から外すことができる。
【００１８】
このように、エアフィルタ５を外す場合、エアフィルタ５の係止を解除するつまみ１３、１３と、エアフィルタ５を収納部６から離す取っ手１５、１５とを同時に操作できるので、エアフィルタ５を容易に外すことができる。
【００１９】
また、取っ手１５が縦桟７と横桟８の交差する部分に設けられているので、エアフィルタ５を撓みにくく取り扱うことができ、さらに、撓みにくく取り扱うことができるので、エアフィルタ５を着脱する際には、固定孔１８と突片１４の位置合わせが容易で、エアフィルタ５を傷めずに取り扱うことができる。
【００２０】
以上、一実施例に基づいて、本発明を説明したが、本発明はこれに限定されるものでなく、要旨を逸脱しない範囲内で変形が可能である。
【００２１】
本実施例では壁掛け型の空気調和機１０で説明しているが、天井埋込型や床置き型等、他の形態の空気調和機に適用しても良い。
【図面の簡単な説明】
【００２２】
【図１】本発明の一実施例における空気調和機の室内機の側断面図である。
【図２】図１の斜視図である。
【図３】前面パネルを裏側から見た斜視図である。
【図４】エアフィルタを前面パネルから外した状態を示す斜視図である。
【図５】前面パネルの裏側の一部を示す斜視図である。
【図６】収納部の突起片と、エアフィルタのつまみとを示す拡大図である。
【図７】エアフィルタの突片と、収納部の固定孔とを示す拡大図である。
【図８】エアフィルタを前面パネルから外す動作を示す斜視図である。
【符号の説明】
【００２３】
１  本体ケース
３  前面パネル
４  吸込口
５  エアフィルタ
７  縦桟
８  横桟
９  フィルタ枠
１０  空気調和機
１２  係止孔（止着手段）
１３  つまみ
１４  突片
１５  取っ手
１６  外枠
１７  突起片
１７ａ  爪（止着手段）
１８  固定孔
２１  突出片
【図１】
2004219051.tif 000003
【図２】
2004219051.tif 000004
【図３】
2004219051.tif 000005
【図４】
2004219051.tif 000006
【図５】
2004219051.tif 000007
【図６】
2004219051.tif 000008
【図７】
2004219051.tif 000009
【図８】
2004219051.tif 000010